(57)【特許請求の範囲】
【請求項１】
棒状発光体の本体部の一端側に位置し該本体部よりも大径の取っ手部を覆った状態で該棒状発光体に取り付けられるように筒状に形成され、
一端側に位置し前記本体部の他端側と前記取っ手部との間で前記棒状発光体に係合して固定される係合部を有し、
他端側の内径が前記取っ手部の外径よりも大きく、
前記係合部の内径が最も小さく、前記本体部の外径よりも大きいとともに前記取っ手部の外径よりも小さい棒状発光体用グリップ。
【請求項２】
請求項１に記載の棒状発光体用グリップにおいて、
前記係合部は、その内径が他の部分の内径よりも小さいリブによって形成されていることを特徴とする棒状発光体用グリップ。
【請求項３】
請求項１又は２に記載の棒状発光体用グリップにおいて、
前記一端側と前記他端側との間の、周方向の一部に突部を有することを特徴とする棒状発光体用グリップ。
【請求項４】
請求項３に記載の棒状発光体用グリップにおいて、
前記一部側の表面に、他の部分の表面の摩擦よりも高摩擦の高摩擦部を有することを特徴とする棒状発光体用グリップ。
【請求項５】
請求項３または４に記載の棒状発光体用グリップにおいて、
前記周方向において前記一部と異なる部分の表面に平滑部を有することを特徴とする棒状発光体用グリップ。
【発明の詳細な説明】
【技術分野】
【０００１】
本発明は、棒状発光体に取り付ける棒状発光体用グリップに関する。
【背景技術】
【０００２】
ライトスティックなどの棒状発光体のグリップ部分に関する技術が知られている（例えば特許文献１〜３参照）。
【０００３】
こうした棒状発光体用グリップにおいては、暗所でも装着しやすいように構成されたものが知られている（例えば特許文献３参照）。
【０００４】
しかしながら、こうした棒状発光体用グリップは、ただ単に紐などを端部に括り付けて固定するのみでは、グリップを握って振り回すような用途で固定あるいは装着した状態を維持することが難しい。また、棒状発光体用グリップを棒状発光体と一体に成型してしまっては嵩張ってしまうという問題や材料の体積がかさんでコストが上昇するという問題もある。
【先行技術文献】
【特許文献】
【０００５】
【特許文献１】実開昭６４−０１２６３７号公報
【特許文献２】実開昭６４−０１３５８７号公報
【特許文献３】特開平１０−２０８５０１号公報
【発明の概要】
【発明が解決しようとする課題】
【０００６】
本発明は、以上のような課題に鑑みてなされたものであり、容易に装着可能で、装着した状態で発光を妨げることがなくグリップを握って振り回したときにも安定に固定あるいは装着した状態を維持する棒状発光体用グリップの提供を目的とする。
【課題を解決するための手段】
【０００７】
上述した課題を解決するため、本発明における棒状発光体用グリップは、棒状発光体の本体部の一端側に位置し該本体部よりも大径の取っ手部を覆った状態で該棒状発光体に取り付けられるように筒状に形成され、一端側に位置し前記本体部の他端側と前記取っ手部との間で前記棒状発光体に係合して固定される係合部を有し、他端側の内径が前記取っ手部の外径よりも大きく、前記係合部の内径が最も小さく、前記本体部の外径よりも大きいとともに前記取っ手部の外径よりも小さい。
【発明の効果】
【０００８】
本発明によれば、容易に装着可能で、装着した状態で発光を妨げることがなくグリップを握って振り回したときにも安定に固定あるいは装着した状態を維持する棒状発光体用グリップを提供することができる。
【図面の簡単な説明】
【０００９】
【図１】本発明の実施形態における棒状発光体用グリップの構成の一例を示す斜視図である。
【図２】図１に示した棒状発光体用グリップが取り付けられる棒状発光体の構成の一例を示す図である。
【図３】図１に示した棒状発光体用グリップの側面図である。
【図４】図１に示した棒状発光体用グリップを棒状発光体に取り付ける動作の一例を示す断面図である。
【図５】本発明の実施形態の第１の変形例における棒状発光体用グリップの構成の一例を示す断面図である。
【図６】本発明の実施形態の第２の変形例における棒状発光体用グリップの構成の一部を示す拡大断面図である。
【図７】本発明の実施形態の第３の変形例における棒状発光体用グリップの構成の一例を示す断面図である。
【発明を実施するための形態】
【００１０】
図１に、本発明を適用した実施形態の一例として、化学発光装置１を示す。
本実施形態において、化学発光装置１は、棒状の発光部２１を備えた棒状体である棒状発光体としてのライトスティック２と、ライトスティック２の一端側たるＺ方向上流側に位置し、ライトスティック２に取り付けられた保持部である棒状発光体用グリップたるグリップ３と、を有している。
ここでは、発光部２１の軸言い換えると長手方向に平行な、図１における上向き方向をＺ方向として、Ｘ軸、Ｙ軸、Ｚ軸それぞれの方向を図１に矢印で示すように定める。
【００１１】
ライトスティック２は、図２に示すように、外径ａの棒状の本体部たる発光部２１と、発光部２１のＺ方向上流側の端部に一体成型によって形成されて発光部２１よりも大きな外径ｂの取っ手部２２と、を有している。
発光部２１の外径ａは１５ｍｍ、長さは１４６ｍｍであり、取っ手部２２の外径ｂは１８ｍｍ、長さは４４ｍｍである。また、発光部２１と取っ手部２２との境界部分は、段差状に径が変化する径変化部である。
【００１２】
発光部２１は、筒状の可撓性を有するポリプロピレン製の透光性容器と、この透光性容器の内部に封入されたガラス製のアンプルとを有する２重構造体である。アンプル内に蛍光液、アンプル外で透光性容器外に酸化液が封入されており、透光性容器の可撓性を利用して折り曲げ、ガラス製アンプルを割ることで酸化液と蛍光液との２種類の化学発光液を混合することで発光する、いわゆる化学発光体である。
なお、ここで透光性容器はポリプロピレン製であるとしたが、ポリエチレン製の容器などとしても良い。
【００１３】
図１ないし図４から明らかなように、グリップ３は、取っ手部２２を覆った状態でライトスティック２に取り付けられるように筒状に形成されている。
グリップ３は、図３に示すように、Ｚ方向の上流側に、図２で示した取っ手部２２の外径ｂよりも大きい内径ｄで形成された第１開口部３１と、Ｚ方向下流側に、発光部２１の外径ａより大きく、取っ手部２２の外径ｂよりも小さな内径ｃで形成された第２開口部３２と、を有している。
グリップ３は、第２開口部３２において、ライトスティック２の他端側たるＺ方向上流側と取っ手部２２との間でライトスティック２に係合して、すなわち当接して係り合って、ライトスティック２を固定して保持する。
グリップ３は、グリップ３をＺＹ平面で分割したときにＸ方向下流側を構成する前部型３Ａと、Ｘ方向上流側を構成する後部型３Ｂとを別々に成型し互いの当接部を溶融により組み合わせて一体化することで第１開口部３１と第２開口部３２とを有する形状となる。筒状のポリプロピレン製部材とされるグリップ３は、強度、剛性などを満たせば他の材質であっても良い。
グリップ３は、長さ１０３ｍｍであり、第１開口部３１は長内径ｄが２２．７７ｍｍ、短内径が１８ｍｍの略卵形の断面、第２開口部３２は内径ｃが１５ｍｍの円形の断面をそれぞれ有する開口部である。
なお、ここではグリップ３は前部型３Ａと後部型３Ｂとを組み合わせて構成されるとしたが、可能であれば全体を一体成型によって製作しても良い。
【００１４】
第２開口部３２は、筒状のグリップ３における最も内径の小さい最小口径部であり、他の部分の内径よりも小さい内径ｃのリブ３２ａによって、グリップ３の一端側に形成されている。リブ３２ａは、図４に示されるように、グリップ３の一端側の端たる端縁に内側に向けて突出して段差形状を形成し、後述の固定状態において段差形状によって取っ手部２２と係合してライトスティック２を固定するための係合部である。
【００１５】
前部型３Ａは、Ｚ方向に垂直な、グリップ３における周方向の一部に形成された突部である指止め部３３と、第１開口部３１と指止め部３３との間に形成された凹部である第１凹部３４と、第２開口部３２と指止め部３３との間に形成された凹部である第２凹部３５と、を有している。
後部型３Ｂは、円筒を縦に半分に割った半円筒形状であり、前部型３Ａと組み合わせたときに指止め部３３の反対側の面に位置する平滑部３６を表面に有している。
【００１６】
第１凹部３４と、第２凹部３５とは、何れも表面にエッチングによるシボ加工が施されて、後部型３Ｂや平滑部３６などの他の部分の表面の摩擦よりも高摩擦である高摩擦部としての機能を有している。
ここでシボ加工とは、表面にいわゆるシワ状の模様を形成するように、微細な凹凸を形成する表面加工である。
かかる第１凹部３４と、第２凹部３５とを有することで、グリップ３を握ったときのさわり心地や滑り防止性を向上させるほか、汚れや傷を目立たなくする。
なお、シボ加工はエッチングによる化学処理であるとしたが、ガラスビーズを吹き付けて物理的に削るブラスト処理によるものであっても、前部型３Ａの成形型の対応する箇所に凹凸をつけて、成形時に表面に凹凸を形成するものであっても良い。
【００１７】
指止め部３３は、グリップ３を使用者が握ったグリップ状態において、使用者の指と指との間、本実施形態では人差し指と中指との間に配置されるように、前部型３ＡのＸ方向下流側の表面に形成された突起状、より具体的には凸条の突部である。
指止め部３３は、グリップ状態において、使用者の指に当接することで、グリップ状態でグリップ３をＺ方向を含む方向に大きく動くように振り動かした場合にも、グリップ３がＺ方向に抜けていくことがなく、安定してグリップ状態を維持する。
【００１８】
平滑部３６は、前部型３Ａと組み合わせたときに指止め部３３の反対側の面に、すなわちグリップ状態における手のひら側の面に位置するように形成された円筒外周面様の形状の平滑な曲面である。
なお、平滑部３６には、その平滑性を利用してその表面に例えばデザインやロゴなどを印字可能となっている。
【００１９】
かかる構成のグリップ３にライトスティック２を装着する方法について、図４（ａ）、（ｂ）を用いて説明する。
以下、図４（ａ）は、グリップ３にライトスティック２を挿入している途中である挿入状態、図４（ｂ）は、グリップ３とライトスティック２とが係り合うことで固定された固定状態とする。
図４（ａ）に示すように、ライトスティック２の発光部２１の外径ａ、取っ手部２２の外径ｂ、第２開口部の内径ｃ、第１開口部の外径ｄのそれぞれの間には、次の関係式が成立している。
【００２０】
【数１】
0005704588.tif 000002
【００２１】
図４（ａ）に示す挿入状態において、第１開口部３１の内径ｄは、発光部２１の外径ａおよび取っ手部２２の外径ｂよりも大きいので、ライトスティック２は、グリップ３に容易に挿入されて通過し、すなわち挿通される。すなわち、ライトスティック２はグリップ３内において挿入方向たるＺ方向に自在に移動する。
また、数式１に示したａ≦ｃの関係より、発光部２１が第２開口部３２に差しかかったときには、発光部２１は第２開口部３２を通過する。
本形態では、ａ＝ｃの関係を満たしており、第２開口部３２が、発光部２１に当接しながら押し広げられることで、第２開口部３２の内径ｃが発光部２１の外径ａよりも大きくなるから、発光部２１と第２開口部３２とが摺動しながら発光部２１が第２開口部３２に挿通される。
【００２２】
図４（ｂ）に示すように、取っ手部２２が第２開口部３２に当接したときには、取っ手部２２の外径ｂは第２開口部３２の内径ｃよりも大きいから、取っ手部２２は、第２開口部３２を通過することなく、ライトスティック２が抜け止めされるように係合して固定されて固定状態を形成する。
固定状態において、グリップ３は、可撓性による復元力によって、グリップ３の中心軸方向に力が生じ、取っ手部２２あるいは発光部２１を押圧して、ライトスティック２を締め付けて固定する。
グリップ３は、Ｚ方向の長さがＺ方向の取っ手部２２の長さより長く、固定状態において取っ手部２２を覆った状態でライトスティック２に取り付けられている。
【００２３】
固定状態において、取っ手部２２と第２開口部３２とが係合し、ライトスティック２は、グリップ３に固定されている。
すなわち、本実施形態では、グリップ３は、Ｚ方向の上流側に、取っ手部２２の外径ｂよりも大きい内径ｄで形成された第１開口部３１と、Ｚ方向下流側に、発光部２１の外径ａより大きく、取っ手部２２の外径ｂよりも小さな内径ｃで形成された第２開口部３２と、を有している。
かかる構成により、グリップ３は、ライトスティック２を容易に装着可能で、グリップ３をＺ方向を含んだ方向に大きく動作させたときにも安定にライトスティック２との固定状態を維持している。
特に、ａ＝ｃの関係式を満たしているため、固定状態においてグリップ３がライトスティック２に対してガタつくことがない。
ａ＜ｃとする場合にも、ガタつき防止又は抑制のためにａとｃとの関係は発光部２１と第２開口部３２とが摺動しながら発光部２１が第２開口部３２に挿通されるように設定することが望ましい。
また、固定状態において、グリップ３は、取っ手部２２と第２開口部３２とが係合して、取っ手部２２を覆った状態で、ライトスティック２に取り付けられているから、発光部２１の発光を妨げることなく安定に固定あるいは装着した状態が維持される。
【００２４】
本実施形態では、グリップ３は、Ｚ方向に垂直な、周方向の一部に形成された突部である指止め部３３を有している。
かかる構成により、グリップ状態において、指止め部３３が使用者の指に当接することで、グリップ状態でグリップ３をＺ方向を含む方向に大きく動くように振り動かした場合にも、グリップ３がＺ方向に抜けていくことがなく、安定してグリップ状態が維持される。
【００２５】
また本実施形態では、指止め部３３が形成された側の表面に、他の部分の表面の摩擦よりも高摩擦な高摩擦部を有している。
かかる構成により、グリップ状態において、使用者の指と高摩擦部が高摩擦な状態で当接して、グリップ状態でグリップ３を大きく動くように振り動かした場合にも、滑らずに安定してグリップ状態を維持する。
【００２６】
また、本実施形態では、グリップ３のＺ軸の周囲の周方向において、高摩擦部とは異なる部分の表面に平滑部３６を有している。
かかる構成により、グリップ状態において、使用者の手のひらと平滑部３６が密着して、握りこむことができるから、グリップ状態でグリップ３を大きく動くように振り動かした場合にも、滑らずに安定してグリップ状態を維持する。
【００２７】
本実施形態の第１の変形例を図５（ａ）、（ｂ）に示す。なお、以下で説明する以外の構成については、図１〜図４で示した実施形態と同様であることとして、同一の符号を付すなどして説明を適宜省略する。
第２開口部３２は、図５（ａ）に示すように、第２開口部３２の内径ｃが他の部分の内径よりも小さくＺ方向に厚み以上の長さを有するリブ３２ａによって形成されている。
この場合にも、本変形例における係合部たるリブ３２ａは、グリップ３の一端側に位置しており、発光部２１の他端側と取っ手部２２との間の径変化部でライトスティック２に係合して固定状態を形成する。
第２開口部３２がリブ３２ａによって形成されることで、第２開口部３２への応力の集中を防いで、強度を確保しつつ、グリップ３をＺ方向を含んだ方向に大きく動作させたときにも安定にライトスティック２との固定状態を維持する。
また、ライトスティック２の発光部２１と取っ手部２２との間に、図５（ｂ）に示すように、径変化部たる傾斜面２２ａが形成されている場合も、Ｚ方向に長いリブ３２ａと傾斜面２２ａとが係合する。
この場合にも、本変形例における係合部たるリブ３２ａは、グリップ３の一端側に位置しており、発光部２１の他端側と取っ手部２２との間でライトスティック２に係合して固定状態を形成する。
かかる構成により、グリップ３は、第２開口部３２の強度を確保しつつ、グリップ３をＺ方向を含んだ方向に大きく動作させたときにも安定にライトスティック２との固定状態を維持する。
【００２８】
図６は、第１の変形例における第２開口部３２の位置を変えた第２の変形例において、第２開口部３２を拡大して示した図である。
第２開口部３２は、図６に示すように、グリップ３の一端側であって、端部よりもＺ方向上流側に位置したリブ３２ａによって第２開口部３２の内径ｃが他の部分の内径よりも小さくなるように形成されている。
この場合にも、本変形例における係合部たるリブ３２ａは、グリップ３の一端側に位置しており、発光部２１の他端側と取っ手部２２との間でライトスティック２に係合して固定状態を形成する。
かかる構成により、グリップ３は、グリップ３をＺ方向を含んだ方向に大きく動作させたときにも安定にライトスティック２との固定状態を維持する。
【００２９】
本実施形態の第３の変形例を図７に示す。
グリップ３は、図６に示すように、グリップ３の断面の厚みが偏らないように、一様な厚みｅで構成されている。このように、第１開口部３１が最も内径の大きい最大口径部ではないようなグリップ３においても、数式１において示した関係式は満たされている。
かかる構成により、グリップ３を成型する材料の体積を抑制してコストを抑えながらも、容易に装着可能で、大きく動作させたときにも安定に固定状態を維持する。
【００３０】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
【００３１】
例えば、固定状態で取っ手部２２とグリップ３との隙間に起因するぐらつきを防止ないし抑止するために、第１開口部３１と第２開口部３２との間に、取っ手部２２の表面に当接する位置保持用のリブを設けても良い。
【００３２】
また、図２（ａ）に示した後部型３ＢのＺ方向上流側すなわちグリップ３の他端側に、可撓性を有するひも状の連結部材を連結するための連結孔を設けて、ひも状の連結部材の一方の端部を連結しても良い。
連結部材の一方の端部を連結孔に連結し、他方の端部を使用者の手首や腕などに引っ掛けておくことで、グリップ３は、使用者によって大きく動作させられたときにも、安定にグリップ状態を維持される。
【００３３】
また、グリップ３は、ライトスティック２が発光していない未使用状態においては、発光部２１を覆うように配置し、ライトスティック２を発光させるときには、固定状態に移行することとしても良い。
かかる構成のグリップ３は、上述した棒状発光体用グリップとしての機能に加えて棒状発光体の本体部を保護する棒状発光体カバーとしての機能を有している。
かかる構成により、未使用状態においてグリップ３とライトスティック２とを組み合わせて配置することができて、より省スペースで、安定に固定あるいは装着した状態が維持される。
【００３４】
本発明の実施の形態に記載された効果は、本発明から生じる最も好適な効果を列挙したに過ぎず、本発明による効果は、本発明の実施の形態に記載されたものに限定されるものではない。
【符号の説明】
【００３５】
１      化学発光装置
２      棒状発光体（ライトスティック）
３      棒状発光体用グリップ（グリップ）
２１    本体部（発光体）
２２    取っ手部
３１    第１開口部
３２    係合部（第２開口部）
３２ａ  リブ
３３    突部
３４    高摩擦部（第１凹部）
３５    高摩擦部（第２凹部）
３６    平滑部
ａ      本体部の外径（発光部の外形）
ｂ      取っ手部の外径
ｃ      係合部の内径（第２開口部の内径）
ｄ      他端側の内径（第１開口部の内径）
【要約】
【課題】容易に装着可能で、大きく動作させたときにも発光を妨げることなく安定に固定状態を維持する棒状発光体用グリップの提供。
【解決手段】棒状発光体の本体部の一端側に位置し該本体部よりも大径の取っ手部を覆った状態で該棒状発光体に取り付けられるように筒状に形成され、一端側に位置し前記本体部の他端側と前記取っ手部との間で前記棒状発光体に係合して固定される係合部を有し、他端側の内径が前記取っ手部の外径よりも大きく、前記係合部の内径が最も小さく、前記本体部の外径よりも大きいとともに前記取っ手部の外径よりも小さい棒状発光体用グリップ。
【選択図】図４【図１】
0005704588.tif 000003
【図２】
0005704588.tif 000004
【図３】
0005704588.tif 000005
【図４】
0005704588.tif 000006
【図５】
0005704588.tif 000007
【図６】
0005704588.tif 000008
【図７】
0005704588.tif 000009